(57)【要約】      （修正有）【課題】理髪用梳鋏の櫛歯の形状を枢着部を中心とした同心円弧状にして一定の割合の毛髪を切断した後に梳鋏を閉じて行く際、梳き残した毛髪を櫛歯間の間隙溝の中に抵抗少なく移動させようとしたものが従来からあり、さらに枢着部を中心とした同心円弧状の二対の櫛歯が向き合い重合して交叉する形状にして梳鋏を閉じて梳き残った毛髪から梳鋏を引き離す際の抵抗を減少させて作業の能率化を図る。しかし素早い毛髪の梳き作業を行うには梳鋏の毛髪に対する抵抗をさらに少なくする必要がある。【解決手段】当発明の理髪用梳鋏は櫛刃４の形状を枢着部３を中心とした同心円弧状にすると共に、櫛歯間の間隙溝５の奧部を拡大幅部６に形成して梳き残った毛髪から梳鋏を引き離す際の抵抗を減少させる。【選択図】図２
2005034577.tif 000002
【特許請求の範囲】
【請求項１】
複数の櫛歯を有する二対の切刃体が回動自在に枢着してなる理髪用梳鋏において、一方乃至双方の切刃体の複数の櫛歯の一つ一つを約中央部から先部まで枢着部を中心とした同心円弧状に形成すると共に、該櫛歯の位置と間隔を二対の対向する切刃体の互いの櫛歯が重合して交叉するように連設し、なお且つ梳鋏を閉じた状態において二対の切刃体の一方乃至双方の該櫛歯の形状を櫛歯が互いに重合する部分を除いた基端部で幅を細く形成することにより櫛歯間の間隙溝の底部を拡大幅部に形成し、二対の切刃体双方の間隙溝全体を繋いで形成される閉鎖空間の周囲に切刃部がないようにしたことを特徴とする理髪用梳鋏。
【請求項２】
二対の複数の櫛歯を有する切刃体の一方の切刃体の幅を少し細く形成すると共に、櫛歯一つ一つを短小形に形成し櫛歯間の間隙溝を切欠部にしたことを特徴とする上記請求項１に記載する理髪用梳鋏。
【発明の詳細な説明】
【技術分野】本考案は理容店や美容院で頭髪の梳き作業に使用する理髪用梳鋏に関するものである。
【背景技術】
【０００１】理髪用梳鋏は基本的には各々その先端部に切れ刃を備えた櫛状歯体と棒状刃体を枢着部を中心として交叉開閉して間引くように毛髪を切断調整するものである。また前記櫛状歯体の複数の櫛歯の間の間隙溝を奥に向かって拡大し梳鋏を閉じたときに梳き残った毛髪から梳鋏を抜きやすくしたものも従来からの技術にある。【０００２】また櫛状歯体の複数の櫛歯一つ一つが枢着部を中心とした同心円弧状に形成している実公昭５６−２５６５８の例がある。さらに対向する二対の同心円弧状の櫛状歯体によって形成した梳鋏の例として実開平６−２６７６８がある。
【発明の開示】
【発明が解決しようとする課題】
【０００３】しかしながら上記のような基本的形態の梳鋏は使用の際、梳鋏を閉じて一定量の毛髪を切断の後、各櫛歯間の間隙溝の奥部に寄せられて梳き残った一部の毛髪が閉じ込められる閉鎖空間の周囲の一部に棒状刃体の刃先部がむき出ていて、毛髪から梳鋏を引き離して行く際、前記閉鎖空間内に梳き残った毛髪の一部が前記棒刃体の刃先部に削がれるようにして引っ掛かりやすい状況が発生し整髪操作が困難になると共に毛髪を痛める原因ともなる。また棒状刃体を用いず二本の櫛状歯体で形成され、対向する互いの櫛歯が重合した位置において交差し毛髪を切断する梳鋏においては、刃先で一定量の毛髪を切断した後、梳鋏を閉じた状態において、狭い櫛歯間の間隙溝の閉じられた空間に密集して梳き残った一部の毛髪から梳鋏を離脱させるのが困難になるのであった。
【課題を解決するための手段】
【０００４】当発明の理髪用梳鋏は複数の櫛歯４、４ａを有する二対の切刃体１、２が回動自在に枢着してなる理髪用梳鋏で、一方乃至双方の切刃体１、２の複数の櫛歯４、４ａの一つ一つを約中央部分から先部まで枢着部３を中心とした同心円弧状に形成にすると共に、該櫛歯４、４ａの位置と間隔を二対の対向する切刃体１、２の互いの櫛歯４、４ａが重合して交叉するように連設し、なお且つ梳鋏を閉じた状態において二対の切刃体１、２の一方乃至双方の複数の櫛歯４、４ａの形状を該櫛歯４、４ａが交叉して重合する部分９を除いた基端部で該櫛歯４、４ａの幅を細くすることにより櫛歯間の間隙溝５、５ａの底部を拡大幅部６、６ａに形成し、さらにまた二対の切刃体１、２双方の間隙溝全体を繋いで形成される閉鎮空間の周囲に切刃部がないようにした。【０００５】また上記梳鋏の請求項２に記載した別案を説明すると、一方の切刃体１の複数の櫛歯４の形状を約中央部分から先部まで枢着部３を中心とした同心円弧状に形成にすると共に、該櫛歯４の位置と間隔を対向する切刃体２の櫛歯４ａと重合して交差するように連設し、なお且つ梳鋏を閉じた状態において切刃体１の櫛歯４の形状を切刃体２の櫛歯４ａの刃先部８ａの位置から基端部で該櫛歯４の幅を細く形成することにより櫛歯間の間隙溝５の底部を拡大幅部６に形成する一方、対向するもう一方の切刃体２の幅を少し細くした形体とし櫛歯４ａを短小形に形成し櫛歯間に切欠部７を連設した。
【発明の効果】当発明の理髪用梳鋏は複数の櫛歯を有する二対の切刃体が回動自在に枢着してなる理髪用梳鋏で、一方乃至双方の切刃体の複数の櫛歯を約中央部分から先部まで枢着部を中心とした同心円弧状に形成すると共に、該櫛歯の位置と間隔を二対の対向する切刃体の互いの櫛歯が重合して交差するように連設すると共に、梳鋏を閉じた状態において二対の切刃体の一方乃至双方の切刃体の複数の櫛歯の形状を対向する切刃体の刃先部と重合する部分を除く基端部で該櫛歯の幅を細くすることにより櫛歯間の間隙溝の底部を拡大幅部に形成してあるので、一定量の毛髪が二対の櫛歯の先端の切れ刃に挟まれて切断された後、梳鋏を閉じたとき間隙溝に押し込まれた残りの一部の毛髪を、二対の切刃体の拡大幅部を加えてた間隙溝全体を繋いで形成される大きな閉鎖空間に分散することができる、また加えて閉鎖空間の周囲に切刃部がないようにしてあるので、毛髪を削いで痛めることもなく梳鋏を毛髪から容易に引き離すことが可能になり素早い毛髪の梳き作業が出来て能率が向上する。
【発明を実施するための最良の形態】
【０００６】当発明の理髪用梳鋏は複数の櫛歯を有した二対の切刃体が回動自在に枢着してなる理髪用梳鋏で、櫛歯の形状を枢着部を中心とした同心円弧状にすると共に、櫛歯間の間隙溝の奥部を拡大幅部に形成したものである。【０００７】もう一つの別案を説明すると一方の切刃体の櫛歯の形状を枢着部を中心とした同心円弧状にし、もう一方の切刃体の幅を細めに形成し櫛歯を短小形にすると共に櫛歯間に切欠部を連設してあるのである。
【実施例】
【０００８】請求項１の発明の実施例を１図、２図において説明すると複数の櫛歯４、４ａを有した二対の切刃体１、２が回動自在に枢着してなる理髪用梳鋏で、切刃体１、２の複数の櫛歯４、４ａの一つ一つを約中央部分から先部まで枢着部３を中心とした同心円弧状に形成すると共に、該櫛歯４、４ａの位置と間隔を二対の対向する切刃体１、２の互いの櫛歯４、４ａが重合して交叉するように連設し、なお且つ梳鋏を閉じた状態において複数の該櫛歯４、４ａの形状を互いの櫛歯４、４ａが重合する部分９を除く基端部で櫛歯４、４ａの幅を細くすることにより櫛歯間４、４ａの間隙溝５、５ａの底部を拡大幅部６、６ａに形成し、さらにまた切刃体１、２双方の間隙溝５、５ａ及び拡大幅部６、６ａを繋いで形成される閉鎖空間の周囲に切刃部がないように形成した。また二対の切刃体１、２の櫛歯４、４ａにおいて、間隙溝５、５ａの底部の拡大幅部６、６ａの内どちらかを無くして該間隙溝５、５ａのどちらかの幅を重合部９と同じ幅で基端部を形成してもよい。【０００９】請求項２記載した別の実施例を３図、４図において説明すると、切刃体１の複数の櫛歯４の形状を約中央部分から先部まで枢着部３を中心とした同心円弧状に形成し、該櫛歯４の位置と間隔を対向する切刃体２の櫛歯４ａと重合して交叉するように連設すると共に、梳鋏を閉じた状態において切刃体１の櫛歯４を対向する切刃体２の櫛歯４ａの刃先部８ａと重合する位置から基端部で該櫛歯４の幅を細くすることにより櫛歯間の間隙溝５の底部を拡大幅部６に形成する一方、対向側の切刃体２の幅を少し細く形成し櫛歯４ａを短小形にして間に切欠部７を連設した。
【産業上の利用可能性】
【図面の簡単な説明】
【００１０】
【図１】本発明の実施例を示す正面図
【図２】図１の一部拡大図
【図３】本発明の別の実施例を示す正面図
【図４】図３の一部拡大図
【符号の説明】
１            切刃体
２            切刃体
３            枢着部
４            櫛歯
４ａ          櫛歯
５            間隙溝
５ａ          間隙溝
６            拡大幅部
６ａ          拡大幅部
７            切欠部
８            刃先部
８ａ          刃先部
９            重合する部分
【図１】
2005034577.tif 000003
【図２】
2005034577.tif 000004
【図３】
2005034577.tif 000005
【図４】
2005034577.tif 000006